(57)【特許請求の範囲】
【請求項１】
各住戸に設置される住戸用インターホン装置と、前記住戸用インターホン装置に接続され、前記各住戸の入居者に対する伝言を受け付ける管理人によって使用される管理室用インターホン装置とを備えるインターホンシステムであって、
前記管理室用インターホン装置は、
前記伝言を前記住戸毎に登録するための登録操作部と、
前記伝言を前記住戸に関連付けて伝言情報として記憶する記憶部と、
前記記憶部に記憶された前記伝言情報を抽出する抽出操作部と、
前記抽出操作部によって抽出された前記伝言情報を表示する表示部と、
前記伝言を登録した住戸用インターホン装置を呼び出すための呼び出し操作部と、
前記呼び出し操作部の操作に対して前記住戸用インターホン装置が応答した場合に、前記住戸用インターホン装置との間で通話路を形成する通話制御部と、
前記表示部が前記伝言情報を表示したか否かを判定する第一の判定部と、
前記伝言を登録した住戸用インターホン装置との間で前記通話制御部が通話路を形成したか否かを判定する第二の判定部と、
前記表示部が前記伝言情報を表示したと前記第一の判定部にて判断し、且つ、前記伝言を登録した住戸用インターホン装置との間で通話路を形成したと前記第二の判定部にて判断した場合に、前記伝言を消去する伝言消去部とを備えたインターホンシステム。
【発明の詳細な説明】
【技術分野】
【０００１】
本発明は、集合住宅などで管理人から入居者へメッセージを伝えることができるインターホンシステムに関する。
【背景技術】
【０００２】
従来、複数の入居者が生活している集合住宅では、各住戸に設置された住戸用インターホン装置と管理人などが常駐する管理室などに設置された管理室用インターホン装置との間で相互に呼び出しができるとともに、通話が可能である。また、管理室には、入居者が在室しているか否かを住戸毎に確認できるように、入居者の在室状況などを管理するパーソナルコンピュータが設置されており、パーソナルコンピュータに接続されたディスプレイに在室状況などを表示する技術も知られている。
【０００３】
ところで、入居者が不在である場合に、入居者宛ての郵便物や荷物が届くことや、入居者に対して来客が訪問することがある。このような場合に、管理人が上述したコンピュータに入居者への伝言を登録しておき、適宜確認することができるようにしたインターホンシステムも知られている（例えば、特許文献１など）
【特許文献１】特開２００６−４２２８５号公報
【０００４】
また、特許文献１に記載の技術を用いると、入居者が帰宅した場合に、管理人は、登録された伝言内容をディスプレイに表示させながら、管理室用インターホン装置を用いて該当する入居者を呼び出し、伝言内容を伝えることができる。
【０００５】
しかしながら、集合住宅の住戸の数が多かったり、伝言の数が多かったりすると、既に入居者に伝えた伝言と未だ入居者に伝えていない伝言とが混在してしまい、同じ伝言を二度伝えてしまったり、伝言を伝え忘れてしまったりするという問題が生じることがあった。
【０００６】
このような問題が生じないように、管理人が所定の操作によって既に入居者に伝えた伝言を消去することが考えられる。しかしながら、このような操作自体が面倒であるため管理人の作業効率が低下してしまうという問題があった。また、管理人が消去の操作を忘れてしまうと、既に入居者に伝えた伝言を正確に消去することができなくなってしまうという問題もあった。
【０００７】
ところで、留守番電話において、再生済みのメッセージをすぐに消去する技術や、再生済みのメッセージを所定の時間が経過した後に消去する技術が知られている（例えば、特許文献２など）。
【特許文献２】特開平１０−１４５４８８号公報
【０００８】
しかしながら、特許文献２に記載の技術をインターホンシステムに応用した場合、ディスプレイに表示（再生）された伝言を消去してしまうと、管理人が伝言を確認しただけのときや、入居者が管理室用インターホン装置からの呼び出しに応答しなかったときでも伝言が消去されてしまうので、管理人は伝言を入居者に伝えることができなくなってしまうという問題があった。
【発明の開示】
【発明が解決しようとする課題】
【０００９】
本発明は、このような問題を解決するために成されたものであり、表示された伝言の内容を参照しながら管理人が入居者に伝言を伝えるインターホンシステムにおいて、管理人が特別な操作をすることなく、既に入居者に伝えた伝言内容のみを正確に消去することを目的とする。
【課題を解決するための手段】
【００１０】
上述した課題を解決するために、本発明では、管理室に設置された表示装置に伝言を表示した状態で、表示された伝言を伝えるべき住戸に対して呼び出しが行われ、その呼び出しに該当する住戸のインターホン装置が応答して通話路が形成された場合に、伝言を消去するようにしている。
【発明の効果】
【００１１】
上記のように構成した本発明によれば、伝言が表示され、その伝言が登録された住戸に対して管理室から呼び出しがかけられ、通話路が形成された場合に、伝言が伝えられていると判断して伝言を消去するようにしている。これにより、伝言が表示されただけの場合や、伝言が登録されており、伝言が表示されていても管理室からの呼び出しに対して住戸にて応答が無く、通話路が形成されなかった場合、伝言が登録されていて、管理室からの呼び出しに対して住戸にて応答があり、通話路が形成されていても伝言が表示されていない場合には、伝言が消去されないので、管理人が特別な操作をすることなく、既に入居者に伝えた伝言のみを正確に消去することができる。
【発明を実施するための最良の形態】
【００１２】
以下、本発明の一実施形態を図面に基づいて説明する。図１は、本実施形態によるインターホンシステムの構成例を示すブロック図である。図１に示すように、本実施形態によるインターホンシステムは、住戸用インターホン装置１、管理室用インターホン装置１０を備えて構成されている。
【００１３】
また、住戸用インターホン装置１は、住戸用制御部２、住戸用インターフェース３、在不在検知部４、呼び出し報知部５、応答操作部６を備えて構成されている。また、管理室用インターホン装置１０は、管理室用制御部１１、在不在判定部１１Ａ、通話制御部１１Ｂ、伝言消去部１１Ｃ、管理室用インターフェース１２、登録操作部１３、記憶部１４、抽出操作部１５、呼び出し操作部１６、表示部１７、第一の判定部１８、第二の判定部１９を備えて構成されている。
【００１４】
図１において、住戸用インターホン装置１は、各住戸にそれぞれ設置されており、伝送線などを介して管理室用インターホン装置１０に接続されている。また、管理室用インターホン装置１０は、管理人が常駐する管理室などに設置されている。
【００１５】
住戸用制御部２は、住戸用インターホン装置１の各構成要素を後述するように制御する。住戸用インターフェース３は、管理室用インターホン装置１０から出力された呼び出し信号や通話時の音声信号を入力する。また、住戸用インターフェース３は、在不在検知部４によって生成された在室信号または不在信号を管理室用インターホン装置１０に出力する。また、住戸用インターフェース３は、応答操作部６の操作によって生成される応答信号を管理室用インターホン装置１０に出力する。また、住戸用インターフェース３は、通話時の音声信号を出力する。
【００１６】
在不在検知部４は、住戸内に入居者が居るか居ないかを検知し、入居者が住戸内に居ると判断した場合には在室信号を生成し、入居者が住戸内に居ないと判断した場合には不在信号を生成する。ここで、在不在検知部４は、住戸の電気錠が外から施錠されたときに不在信号を生成するようにしている。また、在不在検知部４は、住戸の電気錠が施錠されていないときや内から施錠されているときには在室信号を生成するようにしている。また、在不在検知部４は、住戸の電気錠が外から施錠されていても、人感センサが住戸内の人の動きを感知したような場合には在室信号を生成するようにしている。
【００１７】
呼び出し報知部５は、図示しないランプやスピーカなどにより構成されており、ランプを点灯または点滅させたり、スピーカから呼び出し音を出力したりして、呼び出しを報知する。ここで、管理室用インターホン装置１０から住戸が呼び出された場合（住戸用インターフェース３が管理室用インターホン装置１０から呼び出し信号を入力した場合）、住戸用制御部２は、呼び出し報知部５を動作させる。
【００１８】
応答操作部６は、住戸用インターホン装置１が呼び出されている状態で、その呼び出しに応答する際に操作されるものである。呼び出し報知部５が動作している状態で、応答操作部６が操作されると、住戸用制御部２は、応答信号を生成して住戸用インターフェース３から管理室用インターホン装置１０へ出力する。
【００１９】
このように、応答信号が生成された状態で、管理室用インターホン装置１０によって通話路が形成されると、住戸用制御部２は、住戸用インターホン装置を通話状態へ移行する。通話状態では、入居者は、図示しないマイクやスピーカを用いて管理室用インターホン装置１０を使用する管理人との間で通話することができる。
【００２０】
管理室用制御部１１は、管理室用インターホン装置１０の各構成要素を後述するように制御する。在不在判定部１１Ａは、住戸用インターホン装置１から入力した在室信号または不在信号により、住戸内に入居者が居るか否かを判定する。ここで、在不在判定部１１Ａは、全ての住戸について判定を行っている。通話制御部１１Ｂは、管理室用インターホン装置１０から出力された呼び出し信号に対して住戸用インターホン装置１から応答信号が返ってきた場合に、管理室用インターホン装置１０と住戸用インターホン装置１との間で通話路を形成する。伝言消去部１１Ｃは、後述する条件を満たした場合に、伝言を消去する。
【００２１】
管理室用インターフェース１２は、住戸用インターホン装置１から出力された在室信号または不在信号を入力する。また、管理室用インターフェース１２は、住戸用インターホン装置１から出力された応答信号や通話時の音声信号を入力する。また、管理室用インターフェース１２は、呼び出し操作部１６の操作によって生成される呼び出し信号を住戸用インターホン装置１に出力する。また、管理室用インターフェース１２は、通話時の音声信号を出力する。
【００２２】
登録操作部１３は、不在である住戸の入居者に対して伝言がある場合に、その伝言を登録するために管理人によって操作されるものである。記憶部１４は、登録された伝言情報を記憶するためのものである。ここで、伝言情報は、住戸毎に記憶される。抽出操作部１５は、伝言が登録された住戸を抽出するために管理人によって操作されるものである。
【００２３】
表示部１７は、住戸に伝言が登録されていることを表示したり、登録されている伝言を表示したり、各住戸の在不在状況を一覧表示したりするためのものである。ここで、表示部１７は、タッチパネル付きのディスプレイ装置などにより構成されており、管理室用制御部１１は、タッチパネルによって操作された位置に登録されている処理を実行する。
【００２４】
例えば、不在状態である１０４号室の入居者宛ての荷物を管理人が預かった場合、図２（ａ）に示すように、各住戸の在不在状況が表示部１７に一覧表示されている状態で、管理人は１０４号室を選択する（登録操作部１３が操作された場合と同等の操作）。すると、管理室用制御部１１は、表示部１７に伝言選択画面をポップアップ表示する（図２（ｂ））。管理人が「荷物が届いています」という選択肢を選択すると、管理室用制御部１１は、１０４号室に「荷物が届いています」との伝言を関連付けて記憶部１４に記憶する。なお、伝言情報を記憶部１４に記憶する際に、ポップアップ画面に表示されている現在時刻を同時に記憶するようにしても良い。また、選択した内容だけではなく、荷物の差出人などの情報を追加入力できるようにしても良いし、管理人が所望の文字列を自由に入力できるようにしても良い。
【００２５】
このように伝言が登録されると、図２（ｃ）に示すように、管理室用制御部１１は、伝言が登録された住戸を伝言が登録されていない住戸と異ならせて表示部１７に表示する。ここで、管理室用制御部１１は、伝言が登録された住戸の枠を太線で表示している。
【００２６】
そして、不在であった１０４号室の入居者が帰宅して、１０４号室が在室状態になったことが在不在検知部４によって検知されると、在室信号が１０４号室の住戸用インターホン装置１から管理室用インターホン装置１０へと出力される。在不在判定部１１Ａは、管理室用インターフェース１２が在室信号を１０４号室の住戸用インターホン装置１から入力することにより、１０４号室が在室状態であると判断する。
【００２７】
すると、管理室用制御部１１は、表示部１７に表示されている１０４号室の不在表示を在室表示へ切り替える（図３（ａ））。この状態で、管理人がタッチパネルによって１０４号室を選択する（抽出操作部１５が操作された場合と同等の操作）と、管理室用制御部１１は、該当する住戸（１０４号室）に対応する伝言情報を記憶部１４から読み出す。そして、管理室用制御部１１は、伝言情報に基づいて、伝言を確認するための確認画面を生成して表示部１７にポップアップ表示する（図３（ｂ））。ここで、確認画面には、どの住戸への伝言であるか、どのような伝言であるか（伝言情報に基づいて生成される）が表示されるとともに、その住戸への呼び出しを行うための呼び出し操作部１６が表示される。
【００２８】
第一の判定部１８は、表示部１７が伝言情報を表示したか否かを判定する。ここで、第一の判定部１８は、１０４号室に対応する伝言情報が表示部１７の確認画面に表示されたと判断する。この確認画面にて、呼び出し操作部１６が操作されると、管理室用制御部１１は、呼び出し信号を生成して、管理室用インターフェース１２から住戸用インターホン装置１へ出力する。
【００２９】
出力された呼び出し信号に対して、１０４号室の住戸用インターホン装置１から応答信号が返ってきた場合には、通話制御部１１Ｂは、管理室用インターホン装置１０と１０４号室の住戸用インターホン装置１との間で通話路を形成する。
【００３０】
管理室用インターホン装置１０と１０４号室の住戸用インターホン装置１との間で通話路が形成されると、両者は通話状態となる。この状態で、管理人は、表示部１７に表示されている確認画面を参照しながら、伝言を１０４号室の入居者に伝える。
【００３１】
第二の判定部１９は、管理室用インターホン装置１０と伝言を登録した１０４号室の住戸用インターホン装置１との間で通話路が形成されたか否かを判定する。ここで、第二の判定部１９は、両者の間で通話路が形成されたと判断する。
【００３２】
このように、伝言情報が表示部１７に表示されたと第一の判定部にて判断され、両者の間で通話路が形成されたと第二の判定部にて判断されると、伝言消去部１１Ｃは、所定のタイミングで伝言を消去する。ここで、所定のタイミングとは、両者の通話が終了したタイミングや、両者の通話が終了してからしばらく時間が経過してからのタイミングなどである。また、伝言の消去とは、記憶部１４から伝言情報を消去することによって実現するようにしても良いが、これに限定されない。例えば、後に伝言を伝えたか否かで入居者と管理人との間でトラブルが発生しないように、伝言の履歴を残すことを考慮して、伝言情報を記憶部１４に残したまま、伝言情報に非表示フラグなどを付して表示部１７に伝言情報が表示されないようにすることによって伝言の消去を実現するようにしても良い。
【００３３】
このように伝言が消去されると、図３（ｃ）に示すように、管理室用制御部１１は、伝言が消去された住戸を元の状態に戻して表示部１７に表示する。つまり、管理室用制御部１１は、伝言が登録されていた住戸の枠の表示を太線から細線へ戻す。
【００３４】
次に、本実施形態によるインターホンシステムの動作および伝言消去方法を説明する。図４は、本実施形態によるインターホンシステムの動作および伝言消去方法を示すフローチャートである。ここで、住戸用インターホン装置１には、伝言が既に登録されており、その住戸には入居者が不在であるものとして説明する。まず、住戸用インターホン装置１では、住戸内に入居者が在室していることが検知されたか否かを在不在検知部４により調べる（ステップＳ１）。在室していることが検知されていないと在不在検知部４により判断した場合には（ステップＳ１にてＮＯ）、ステップＳ１の処理に戻る。
【００３５】
一方、在室していることが検知されたと在不在検知部４により判断した場合には（ステップＳ１にてＹＥＳ）、住戸用制御部２は、在室信号を生成して管理室用インターホン装置１０へ出力する（ステップＳ２）。
【００３６】
管理室用インターホン装置１０では、伝言が登録されている住戸が在室状態になったか否かを在不在判定部１１Ａにより調べる（ステップＳ３）。伝言が登録されている住戸が在室状態になっていないと在不在判定部１１Ａにて判断した場合には（ステップＳ３にてＮＯ）、ステップＳ３の処理を繰り返す。
【００３７】
一方、伝言が登録されている住戸が在室状態になったと在不在判定部１１Ａにて判断した場合には（ステップＳ３にてＹＥＳ）、管理室用制御部１１は、表示部１７に在室状態を提示する（ステップＳ４）。この状態で、伝言が登録されている住戸が管理人の抽出操作部１５の操作により選択されたか否かを管理室用制御部１１にて調べる（ステップＳ５）。伝言が登録されている住戸が選択されていないと管理室用制御部１１にて判断すると（ステップＳ５にてＮＯ）、ステップＳ４の処理に戻る。
【００３８】
一方、伝言が登録されている住戸が選択されたと管理室用制御部１１にて判断すると（ステップＳ５にてＹＥＳ）、管理室用制御部１１は、住戸に該当する伝言情報を記憶部１１から読み出して表示部１７に表示する（ステップＳ６）。
【００３９】
そして、表示部１７に伝言情報が表示されている住戸に対して管理人の呼び出し操作部１６の操作により呼び出しが行われたか否かを管理室用制御部１１にて調べる（ステップＳ７）。呼び出しが行われていないと管理室用制御部１１にて判断した場合には（ステップＳ７にてＮＯ）、伝言情報の表示の終了が指示されたか否かを管理室用制御部１１にて調べる（ステップＳ８）。伝言情報の表示の終了が指示されたと管理室用制御部１１にて判断した場合には（ステップＳ８にてＹＥＳ）ステップＳ４の処理に戻る。一方、伝言情報の表示の終了が指示されていないと管理室用制御部１１にて判断した場合には（ステップＳ８にてＮＯ）、ステップＳ６の処理に戻る。
【００４０】
ステップＳ６にて伝言情報が表示部１７に表示されている状態で、伝言が登録されている住戸に対して呼び出しが行われたと管理室用制御部１１にて判断した場合には（ステップＳ７にてＹＥＳ）、管理室用制御部１１は、呼び出し信号を生成して、管理室用インターフェース１２から住戸用インターホン装置１へ出力する（ステップＳ９）。
【００４１】
住戸用インターホン装置１では、呼び出し信号を住戸用インターフェース３が入力したか否かを住戸用制御部２にて調べる（ステップＳ１０）。呼び出し信号を入力していないと住戸用制御部２が判断した場合には（ステップＳ１０にてＮＯ）、ステップＳ１０の処理を繰り返す。
【００４２】
一方、呼び出し信号を入力したと住戸用制御部２が判断した場合には（ステップＳ１０にてＹＥＳ）、住戸用制御部２は、呼び出し報知部５を動作させて呼び出しを報知する（ステップＳ１１）。そして、呼び出しの報知に対して、応答操作部６が操作されたか否かを住戸用制御部２にて調べる（ステップＳ１２）。応答操作部６が操作されていないと住戸用制御部２にて判断した場合には（ステップＳ１２にてＮＯ）、ステップＳ１２の処理を繰り返す。
【００４３】
一方、応答操作部６が操作されたと住戸用制御部２にて判断した場合には（ステップＳ１２にてＹＥＳ）、住戸用制御部２は、応答信号を生成して、住戸用インターフェース３から管理室用インターホン装置１０へ出力する（ステップＳ１３）。
【００４４】
管理室用インターホン装置１０では、管理室用インターフェース１２が応答信号を入力したか否かを管理室用制御部１１にて調べる（ステップＳ１４）。応答信号を入力していないと管理室用制御部１１にて判断した場合には（ステップＳ１４にてＮＯ）、呼び出しの中止の指示があったか否かを管理室用制御部１１にて調べる（ステップＳ１５）。呼び出しの中止の指示があったと管理室用制御部１１にて判断した場合には（ステップＳ１５にてＹＥＳ）、ステップＳ４の処理に戻る。一方、呼び出しの中止の指示がないと管理室用制御部１１にて判断した場合には（ステップＳ１５にてＮＯ）、ステップＳ１４の処理に戻る。
【００４５】
また、応答信号を入力したと管理室用制御部１１にて判断した場合には（ステップＳ１４にてＹＥＳ）、通話制御部１１Ｂは、管理室用インターホン装置１０と住戸用インターホン装置１との間で通話路を形成する（ステップＳ１６）。
【００４６】
住戸用インターホン装置１では、通話路が形成されたか否かを住戸用制御部２にて調べる（ステップＳ１７）。通話路が形成されていないと住戸用制御部２にて判断した場合には（ステップＳ１７にてＮＯ）、ステップＳ１７の処理を繰り返す。
【００４７】
一方、通話路が形成されたと住戸用制御部２にて判断した場合には（ステップＳ１７にてＹＥＳ）、住戸用制御部２は、住戸用インターホン装置１を通話状態に移行する（ステップＳ１８）。そして、住戸用インターホン装置１および管理室用インターホン装置１０の何れかにて通話の終了の操作が行われて通話が終了したか否かを住戸用制御部２にて調べる（ステップＳ１９）。通話が終了していないと住戸用制御部２にて判断した場合には（ステップＳ１９にてＮＯ）、ステップＳ１８の処理に戻る。一方、通話が終了したと住戸用制御部２にて判断した場合には（ステップＳ１９にてＹＥＳ）、処理を終了する。
【００４８】
管理室用インターホン装置１０では、ステップＳ１６にて管理室用インターホン装置１０と住戸用インターホン装置１との間で通話路を形成すると、管理室用制御部１１は、管理室用インターホン装置１０を通話状態に移行する（ステップＳ２０）。そして、管理室用インターホン装置１０および住戸用インターホン装置１の何れかにて通話の終了の操作が行われて通話が終了したか否かを管理室用制御部１１にて調べる（ステップＳ２１）。通話が終了していないと管理室用制御部１１にて判断した場合には（ステップＳ２１にてＮＯ）、ステップＳ２０の処理に戻る。一方、通話が終了したと管理室用制御部１１にて判断した場合には（ステップＳ２１にてＹＥＳ）、伝言消去部１１Ｃは、伝言を消去する（ステップＳ２１）。
【００４９】
以上詳しく説明したように、本実施形態によれば、管理室に設置された表示部１７に伝言情報を表示した状態で、表示された伝言情報を伝えるべき住戸の住戸用インターホン装置１に対して呼び出しが行われ、その呼び出しに住戸用インターホン装置１が応答して、管理室用インターホン装置１０により通話路が形成された場合に、伝言消去部１１Ｃが伝言を消去するようにしている。
【００５０】
これにより、伝言情報が表示され、その伝言情報が登録された住戸に対して管理室用インターホン装置１０から呼び出しがかけられて通話路が形成された場合に、伝言が伝えられていると判断して伝言を消去するようにしている。従って、伝言が表示されただけの場合や、伝言が登録されており、伝言が表示されていても管理室からの呼び出しに対して住戸にて応答が無く、通話路が形成されなかった場合、伝言が登録されていて、管理室からの呼び出しに対して住戸にて応答があり、通話路が形成されていても伝言が表示されていない場合には、伝言が消去されないので、管理人が特別な操作をすることなく、既に入居者に伝えた伝言のみを正確に消去することができる。
【００５１】
なお、前述した実施形態では、管理室用インターホン装置１０の構成要素である登録操作部１３、抽出操作部１５、呼び出し操作部１６をタッチパネルにより実現したが、これに限定されない。例えば、それぞれの操作部１３，１５，１６を専用のボタンなどにより構成するようにしても良い。
【００５２】
また、前述した実施形態では、管理室用制御部１１は、伝言が登録されている住戸の枠を太線で表示部１７に表示するようにしているが、これに限定されない。例えば、伝言が登録されている住戸の欄の色を他の住戸の欄の色を異ならせたり、伝言が登録されている住戸をポップアップ表示させたりしても良い。すなわち、管理人が他の住戸と区別することができれば、どのような表示方法であっても良い。
【００５３】
また、前述した実施形態では、管理室用制御部１１は、伝言が登録されている住戸が不在状態から在室状態へと切り替わったと在不在判定部１１Ａが判断した場合に、住戸の欄の色を異ならせているが、これに限定されない。例えば、在室状態へ切り替わったことを図示しないスピーカによって音声により報知するようにしても良い。
【００５４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００５５】
【図１】本実施形態によるインターホンシステムの構成例を示すブロック図である。
【図２】本実施形態のインターホンシステムによる伝言を登録する際の画面の例を示す図である。
【図３】本実施形態のインターホンシステムによる伝言の抽出および呼び出しの際の画面の例を示す図である。
【図４】本実施形態によるインターホンシステムの動作および伝言消去方法を示すフローチャートである。
【符号の説明】
【００５６】
１    住戸用インターホン装置
２    住戸用制御部
３    住戸用インターフェース
４    在不在検知部
５    呼び出し報知部
６    応答操作部
１０    管理室用インターホン装置
１１    管理室用制御部
１１Ａ    在不在判定部
１１Ｂ    通話制御部
１１Ｃ    伝言消去部
１２    管理室用インターフェース
１３    登録操作部
１４    記憶部
１５    抽出操作部
１６    呼び出し操作部
１７    表示部
１８    第一の判定部
１９    第二の判定部
【図１】
0004974932.tif 000002
【図２】
0004974932.tif 000003
【図３】
0004974932.tif 000004
【図４】
0004974932.tif 000005